(57)【要約】【課題】手触りがよく、保型性に優れた収納具及びその製造方法を提供する。【解決手段】収納具１０は、表胴部２２と、裏胴部２４と、前記表胴部２２と裏胴部２４との間に連設された、収納部３０とを含み、前記収納部３０は、底面部７２と、前記底面部７２の一端及び他端からのびて形成される第１側面部７４及び第２側面部７６とを有し、更に、前記底面部７２は、表胴部２２に固定される一方の底部連結端部８６と、裏胴部２４に固定される他方の底部連結端部８８とを備え、前記表胴部２２は、一方の底部連結端部８６の端縁に対応する部位において折り返し、該一方の底部連結端部８６を表胴部２２の底部２２４の領域と折り返し領域２３２とにより挟み、一方の底部連結端部８６に固定され、前記裏胴部２４は、他方の底部連結端部８８の端縁に対応する部位において折り返し、該他方の底部連結端部８８を裏胴部２４の底部２４４の領域と折り返し領域２５２とにより挟み、収納部３０の他方の底部連結端部８８に固定される。【選択図】図１
2014019002.tif 000002
【特許請求の範囲】
【請求項１】
表胴部と、裏胴部と、前記表胴部と裏胴部との間に連設された、収納部とを含み、
前記収納部は、
底面部と、前記底面部の一端及び他端からのびて形成される側面部とを有し、
更に、前記底面部は、表胴部に固定される一方の底部連結端部と、裏胴部に固定される他方の底部連結端部とを備え、
前記表胴部は、前記収納部の前記固定される一方の底部連結端部の端縁に対応する部位において折り返し、該一方の底部連結端部を表胴部の主面の底部の領域と折り返し領域とにより挟み、収納部の一方の底部連結端部に固定され、
前記裏胴部は、前記収納部の前記固定される他方の底部連結端部の端縁に対応する部位において折り返し、該他方の底部連結端部を裏胴部の主面の底部の領域と折り返し領域とにより挟み、収納部の他方の底部連結端部に固定された、収納具。
【請求項２】
前記収納部は、
表胴部及び裏胴部の底部及び側部と略々平行にのびる山折部及び谷折部を有する蛇腹状に形成され、
前記収納部の底部連結端部は、前記山折部及び谷折部と略々平行にのび、表胴部及び裏胴部の底部の内側面に接し合うように形成された、請求項１に記載の収納具。
【請求項３】
前記収納部の底面部の底部連結端部と前記表胴部及び裏胴部の底部の折り返し領域とが重なり合い、且つ前記収納部の側面部と前記表胴部及び裏胴部の側部の領域とが重なり合うとともに、収納部並びに表胴部及び裏胴部の隅部において、前記収納部の底部連結端部並びに表胴部及び裏胴部の底部の折り返し領域と前記収納部の側部連結端部並びに表胴部及び裏胴部の側部の領域とが重なり合って固定された、請求項１又は請求項２に記載の収納具。
【請求項４】
前記表胴部及び裏胴部の折り返し領域における、折曲部とは反対側の端縁には、前記収納部の側部連結端部及び側部連結端部に連設された側面構成材と重ならないように逃げ用凹部を形成され、表胴部及び裏胴部の折り返し領域を収納部の側部連結端部の一部に重ね合わせて固定された、請求項１ないし請求項３のいずれかに記載の収納具。
【請求項５】
底部を有する表胴部と、底部を有する裏胴部と、前記表胴部と裏胴部との間に連設される側面部及び底面部を有する収納部とによって、収納具を製造する方法であって、
表胴部の底部に固定される収納部の一方の底部連結端部と表胴部の側部に固定される収納部の一方の側部連結端部とを、側面部と底面部とが交わる隅部において所定の角度を有して重なり合うように位置決めをして重ね合わせる、連結端部の重ね合わせステップと、
前記重ね合わされた収納部の一方の底部連結端部と収納部の一方の側部連結端部とを固定する、第１の連結端部固定ステップと、
裏胴部の底部に固定される収納部の他方の底部連結端部と裏胴部の側部に固定される収納部の他方の側部連結端部とを、側面部と底面部とが交わる隅部において所定の角度を有して重なり合うように位置決めをして重ね合わせる、連結端部の重ね合わせステップと、
前記重ね合わされた収納部の他方の底部連結端部と収納部の他方の側部連結端部とを固定する、第２の連結端部固定ステップと、
表胴部を、収納部の一方の底部連結端部及び収納部の一方の側部連結端部の上に重ね合わせ、表胴部の底部に連設された折り返し領域を折曲部において折り返し、表胴部の主面の底部の領域と該折り返し領域とにより、前記固定された収納部の一方の底部連結端部及び収納部の側部連結端部の重なり合う部位を挟み、表胴部の折り返し領域と収納部の一方の底部連結端部及び収納部の一方の側部連結端部とを固定する、第１の底部連結端部及び側部連結端部並びに折り返し領域の固定ステップと、
裏胴部を、収納部の他方の底部連結端部及び収納部の他方の側部連結端部の上に重ね合わせ、裏胴部の底部に連設された折り返し領域を折曲部において折り返し、裏胴部の主面の底部の領域と該折り返し領域とにより、前記固定された収納部の他方の底部連結端部及び収納部の他方の側部連結端部の重なり合う部位を挟み、裏胴部の折り返し領域と収納部の他方の底部連結端部及び収納部の他方の側部連結端部とを固定する、第２の底部連結端部及び側部連結端部並びに折り返し領域の固定ステップとを含む、収納具の製造方法。
【発明の詳細な説明】
【技術分野】
【０００１】
この発明は収納具及びその製造方法に関し、特にたとえば、蛇腹状の襠部を備え、カード体，小物などを収納して、保管，持ち運びするための収納部が形成されたエンベロープ、ホルダーやドキュメントファイルなどの収納具及びその製造方法に関する。
【背景技術】
【０００２】
このような収納具としては、例えば、襠部を蛇腹状に形成したドキュメントファイルがある。このドキュメントファイル１は、長手方向に延びる細長い形状を備えた底部２と、この底部２に連設された表面部３及び裏面部４と、これら表面部３及び裏面部４の間を連結する蛇腹状のマチ部５と、前記裏面部４の上縁に連設されて表面部３側との間の空間を閉塞可能なカバー部６とを備えて構成されている（例えば、特許文献１及び図２８参照）。
【先行技術文献】
【特許文献】
【０００３】
【特許文献１】特開平９−５８１７０号公報
【発明の概要】
【発明が解決しようとする課題】
【０００４】
ところが、このような従来のドキュメントファイルでは、表面部及び裏面部の底縁が、切断した状態の切り放しで、その表面が滑らかでないために、手触りが悪く、手で持ち歩くときに手が痛く感じることがある。又、ドキュメントファイルを手で持ち歩くために軽量化を図るべく、表面部及び裏面部を薄い素材で形成すると、蛇腹状の襠部の反発により、側縁領域が広がって、中央付近の表面部及び裏面部がわん曲することがある。
【０００５】
それゆえに、この発明の主たる目的は、手触りがよく、保型性に優れた収納具及びその製造方法を提供することである。
【課題を解決するための手段】
【０００６】
この発明の請求項１にかかる収納具は、表胴部と、裏胴部と、前記表胴部と裏胴部との間に連設された、収納部とを含み、前記収納部は、底面部と、前記底面部の一端及び他端からのびて形成される側面部とを有し、更に、前記底面部は、表胴部に固定される一方の底部連結端部と、裏胴部に固定される他方の底部連結端部とを備え、前記表胴部は、前記収納部の前記固定される一方の底部連結端部の端縁に対応する部位において折り返し、該一方の底部連結端部を表胴部の主面の底部の領域と折り返し領域とにより挟み、収納部の一方の底部連結端部に固定され、前記裏胴部は、前記収納部の前記固定される他方の底部連結端部の端縁に対応する部位において折り返し、該他方の底部連結端部を裏胴部の主面の底部の領域と折り返し領域とにより挟み、収納部の他方の底部連結端部に固定された、収納具である。
この発明の請求項２にかかる収納具においては、前記収納部は、表胴部及び裏胴部の底部及び側部と略々平行にのびる山折部及び谷折部を有する蛇腹状に形成され、前記収納部の底部連結端部は、前記山折部及び谷折部と略々平行にのび、表胴部及び裏胴部の底部の内側面に接し合うように形成された、請求項１に記載の収納具である。
この発明の請求項３にかかる収納具は、前記収納部の底面部の底部連結端部と前記表胴部及び裏胴部の底部の折り返し領域とが重なり合い、且つ前記収納部の側面部と前記表胴部及び裏胴部の側部の領域とが重なり合うとともに、収納部並びに表胴部及び裏胴部の隅部において、前記収納部の底部連結端部並びに表胴部及び裏胴部の底部の折り返し領域と前記収納部の側部連結端部並びに表胴部及び裏胴部の側部の領域とが重なり合って固定された、請求項１又は請求項２に記載の収納具である。
この発明の請求項４にかかる収納具は、前記表胴部及び裏胴部の折り返し領域における、折曲部とは反対側の端縁には、前記収納部の側部連結端部及び側部連結端部に連設された側面構成材と重ならないように逃げ用凹部を形成され、表胴部及び裏胴部の折り返し領域を収納部の側部連結端部の一部に重ね合わせて固定された、請求項１ないし請求項３のいずれかに記載の収納具である。
この発明の請求項５にかかる収納具の製造方法は、底部を有する表胴部と、底部を有する裏胴部と、前記表胴部と裏胴部との間に連設される側面部及び底面部を有する収納部とによって、収納具を製造する方法であって、表胴部の底部に固定される収納部の一方の底部連結端部と表胴部の側部に固定される収納部の一方の側部連結端部とを、側面部と底面部とが交わる隅部において所定の角度を有して重なり合うように位置決めをして重ね合わせる、連結端部の重ね合わせステップと、前記重ね合わされた収納部の一方の底部連結端部と収納部の一方の側部連結端部とを固定する、第１の連結端部固定ステップと、裏胴部の底部に固定される収納部の他方の底部連結端部と裏胴部の側部に固定される収納部の他方の側部連結端部とを、側面部と底面部とが交わる隅部において所定の角度を有して重なり合うように位置決めをして重ね合わせる、連結端部の重ね合わせステップと、前記重ね合わされた収納部の他方の底部連結端部と収納部の他方の側部連結端部とを固定する、第２の連結端部固定ステップと、表胴部を、収納部の一方の底部連結端部及び収納部の一方の側部連結端部の上に重ね合わせ、表胴部の底部に連設された折り返し領域を折曲部において折り返し、表胴部の主面の底部の領域と該折り返し領域とにより、前記固定された収納部の一方の底部連結端部及び収納部の側部連結端部の重なり合う部位を挟み、表胴部の折り返し領域と収納部の一方の底部連結端部及び収納部の一方の側部連結端部とを固定する、第１の底部連結端部及び側部連結端部並びに折り返し領域の固定ステップと、裏胴部を、収納部の他方の底部連結端部及び収納部の他方の側部連結端部の上に重ね合わせ、裏胴部の底部に連設された折り返し領域を折曲部において折り返し、裏胴部の主面の底部の領域と該折り返し領域とにより、前記固定された収納部の他方の底部連結端部及び収納部の他方の側部連結端部の重なり合う部位を挟み、裏胴部の折り返し領域と収納部の他方の底部連結端部及び収納部の他方の側部連結端部とを固定する、第２の底部連結端部及び側部連結端部並びに折り返し領域の固定ステップとを含む、収納具の製造方法である。
【発明の効果】
【０００７】
この発明によれば、表胴部と、裏胴部と、前記表胴部と裏胴部との間に連設された、収納部とを含み、前記収納部は、底面部と、前記底面部の一端及び他端からのびて形成される側面部とを有し、更に、前記底面部は、表胴部に固定される一方の底部連結端部と、裏胴部に固定される他方の底部連結端部とを備え、前記表胴部は、前記収納部の前記固定される一方の底部連結端部の端縁に対応する部位において折り返し、該一方の底部連結端部を表胴部の主面の底部の領域と折り返し領域とにより挟み、収納部の一方の底部連結端部に固定され、前記裏胴部は、前記収納部の前記固定される他方の底部連結端部の端縁に対応する部位において折り返し、該他方の底部連結端部を裏胴部の主面の底部の領域と折り返し領域とにより挟み、収納部の他方の底部連結端部に固定されているので、表胴部及び裏胴部の手触りがよく、保型性にも優れている。
請求項２の発明によれば、前記収納部が、表胴部及び裏胴部の底部及び側部と略々平行にのびる山折部及び谷折部を有する蛇腹状に形成され、前記収納部の底部連結端部は、前記山折部及び谷折部と略々平行にのび、表胴部及び裏胴部の底部の内側面に接し合うように形成されているので、保型性に優れた収納具を得ることができる。
請求項３の発明によれば、前記収納部の底面部の底部連結端部と前記表胴部及び裏胴部の底部の折り返し領域とが重なり合い、且つ前記収納部の側面部と前記表胴部及び裏胴部の側部の領域とが重なり合うとともに、収納部並びに表胴部及び裏胴部の隅部において、前記収納部の底部連結端部並びに表胴部及び裏胴部の底部の折り返し領域と前記収納部の側部連結端部並びに表胴部及び裏胴部の側部の領域とが重なり合って固定されているので、保型性に優れた収納具を得ることができる。
請求項４の発明によれば、前記表胴部及び裏胴部の折り返し領域における、折曲部とは反対側の端縁には、前記収納部の側部連結端部及び側部連結端部に連設された側面構成材と重ならないように逃げ用凹部を形成され、表胴部及び裏胴部の折り返し領域を収納部の側部連結端部の一部に重ね合わせて固定されているので、収納部を表胴部及び裏胴部の端縁の近傍において立ち上げて、所定の形状の収納部を形成することができる。
この発明の収納具の製造方法によれば、底部を有する表胴部と、底部を有する裏胴部と、前記表胴部と裏胴部との間に連設される側面部及び底面部を有する収納部とによって、収納具を製造する方法であって、表胴部の底部に固定される収納部の一方の底部連結端部と表胴部の側部に固定される収納部の一方の側部連結端部とを、側面部と底面部とが交わる隅部において所定の角度を有して重なり合うように位置決めをして重ね合わせる、連結端部の重ね合わせステップと、前記重ね合わされた収納部の一方の底部連結端部と収納部の一方の側部連結端部とを固定する、第１の連結端部固定ステップと、裏胴部の底部に固定される収納部の他方の底部連結端部と裏胴部の側部に固定される収納部の他方の側部連結端部とを、側面部と底面部とが交わる隅部において所定の角度を有して重なり合うように位置決めをして重ね合わせる、連結端部の重ね合わせステップと、前記重ね合わされた収納部の他方の底部連結端部と収納部の他方の側部連結端部とを固定する、第２の連結端部固定ステップと、表胴部を、収納部の一方の底部連結端部及び収納部の一方の側部連結端部の上に重ね合わせ、表胴部の底部に連設された折り返し領域を折曲部において折り返し、表胴部の主面の底部の領域と該折り返し領域とにより、前記固定された収納部の一方の底部連結端部及び収納部の側部連結端部の重なり合う部位を挟み、表胴部の折り返し領域と収納部の一方の底部連結端部及び収納部の一方の側部連結端部とを固定する、第１の底部連結端部及び側部連結端部並びに折り返し領域の固定ステップと、裏胴部を、収納部の他方の底部連結端部及び収納部の他方の側部連結端部の上に重ね合わせ、裏胴部の底部に連設された折り返し領域を折曲部において折り返し、裏胴部の主面の底部の領域と該折り返し領域とにより、前記固定された収納部の他方の底部連結端部及び収納部の他方の側部連結端部の重なり合う部位を挟み、裏胴部の折り返し領域と収納部の他方の底部連結端部及び収納部の他方の側部連結端部とを固定する、第２の底部連結端部及び側部連結端部並びに折り返し領域の固定ステップとを含むので、表胴部及び裏胴部の手触りがよく、保型性にも優れた収納具を得ることができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明の第１の実施の形態の収納具の収納部の構造の展開状態を示す斜視図解図である。
【図２】この発明の第１の実施の形態の収納具の収納部を閉じた状態を示す斜視図解図である。
【図３Ａ】収納部の断面図解図である。
【図３Ｂ】収納部の断面図解図である。
【図３Ｃ】収納具の側面図解図である。
【図３Ｄ】収納具の底面図解図である。
【図３Ｅ】収納具の平面図解図である。
【図３Ｆ】襠部材の隅部の構造を示す斜視図解図である。
【図３Ｇ】襠部材の隅部の構造を示す斜視図解図である。
【図３Ｈ】襠部材の隅部の構造を示す斜視図解図である。
【図４Ａ】襠部材の展開状態を示す底面図解図である。
【図４Ｂ】襠部材の展開状態を示す底面拡大図解図である。
【図４Ｃ】図４Ｂの隅角部の拡大図解図である。
【図４Ｄ】図４Ｃに示すＡ−Ａ断面図解図である。
【図５Ａ】襠部材の展開状態を示す平面図解図である。
【図５Ｂ】襠部材の展開状態を示す平面拡大図解図である。
【図５Ｃ】襠部材の展開状態を示す底面拡大図解図である。
【図６】襠部材により収納部を組み立てる方法を示す平面図解図である。
【図７】襠部材により収納部を組み立てる方法を示す仕切部材をつけた平面図解図である。
【図８】仕切部材の正面図解図である。
【図９】襠部材に仕切部材を固定する方法を示す斜視図解図である。
【図１０】収納部の斜視図解図である。
【図１１】表胴部構成部材の正面図解図である。
【図１２】表胴部構成部材により表胴部を形成する方法を示す断面図解図であり、（Ａ）は組み立て前の状態を示す図で、（Ｂ）は襠部材との結合前の状態を示す図である。
【図１３】裏胴部構成部材の正面図解図である。
【図１４】裏胴部構成部材により裏胴部を形成する方法を示す断面図解図であり、（Ａ）は組み立て前の状態を示す図で、（Ｂ）は襠部材との結合前の状態を示す図である。
【図１５】襠部材により収納部を組み立てる方法を示す斜視図解図である。
【図１６】襠部材により収納部を組み立てる方法を示す斜視図解図である。
【図１７】襠部材により収納部を組み立てる方法を示す斜視図解図である。
【図１８】襠部材により収納部を組み立てる方法を示す斜視図解図である。
【図１９】襠部材により収納部を組み立てる方法を示す斜視図解図である。
【図２０】襠部材により収納部を組み立てる方法を示す斜視図解図である。
【図２１】襠部材により収納部を組み立てる方法を示す斜視図解図である。
【図２２】この発明の第２の実施の形態の収納具の斜視図解図である。
【図２３】この発明の第２の実施の形態の断面図解図である。
【図２４Ａ】襠部材の他の例の展開状態を示す底面拡大図解図である。
【図２４Ｂ】襠部材の他の例の展開状態を示す平面拡大図解図である。
【図２５】第１傾斜折曲部などの他の例を示す図解図である。
【図２６】第１傾斜折曲部などのさらに他の例を示す図解図である。
【図２７】収納部を有する収納具の説明図である。
【図２８】従来例の説明図である。
【図２９】従来例の説明図である。
【発明を実施するための形態】
【００１０】
この発明にかかる収納具１０は、胴部２０と、胴部２０の内面に設けられた、蛇腹状の構造を備えた収納部３０とを有している。
この収納具１０は、複数の用紙、カード体等の被収納物Ｘを並列して合わせて収納するものであり、例えばノート、クレジットカード、名刺、小物等の収納に適している。
【００１１】
胴部２０は、比較的硬質なプラスチック板製であり、収納部３０を覆う適宜な広さを有する略方形状の表胴部２２及び略方形状の裏胴部２４を含む。
更に、裏胴部２４は、その上端に開口部３２を覆うカバー部２６が連設されている。カバー部２６は、開口覆部２８ａと前垂部２８ｂとを有する。
【００１２】
表胴部２２は、ポリプロピレン等の熱可塑性樹脂で、図１１に示すような第１胴部材２２０の一部によって構成される。
第１胴部材２２０は、溶着し得る一枚の比較的軟質の板状体である。
第１胴部材２２０は、略方形状の表胴本体２２２を備えており、表胴本体２２２は、表胴本体２２２の下側の底部２２４と、表胴本体２２２の右側の第１側部２２６と、表胴本体２２２の左側の第２側部２２８と、開口部領域２３０とを有している。
第１胴部材２２０は、表胴本体２２２の底部２２４に、直線状の折曲部２２４ａを介して連設された折り返し領域２３２を備える（図１１及び図１２参照）。
折曲部２２４ａは、略々直線状の凹条を水平に連続しており、胴部２０の下端縁を構成するために、折り曲げられるように薄肉に形成されている。
折り返し領域２３２は、収納部３０を溶着するために、略帯状で溶着する広さを有する。
【００１３】
裏胴部２４は、ポリプロピレン等の熱可塑性樹脂で、図１３に示すような第２胴部材２４０の一部によって構成される。
第２胴部材２４０は、溶着し得る一枚の比較的硬質の板状体である。
第２胴部材２４０は、略方形状の裏胴本体２４２を備えており、裏胴本体２４２は、裏胴本体２４２の下側の底部２４４と、裏胴本体２４２の右側の第１側部２４６と、裏胴本体２４２の左側の第２側部２４８と、開口部領域２５０とを有している。
第２胴部材２４０は、裏胴本体２４２の底部２４４に、直線状の折曲部２４４ａを介して連設された折り返し領域２５２を備える（図１３及び図１４参照）。
折曲部２４４ａは、略々直線状の凹条を水平に連続しており、胴部２０の下端縁を構成するために、折り曲げられるように薄肉に形成されている。
折り返し領域２５２は、収納部３０を溶着するために、略帯状で溶着する広さを有する。
第１胴部材２２０は、表胴本体２２２の上部に、カバー部２６が連設されている。
【００１４】
収納部３０は、底縁部５２及び右側側縁部５４及び左側側縁部５６を連結して一体成形された、比較的軟質なプラスチックシート製の襠部材７０と、前記襠部材７０に連結される第１主面部４２及び第２主面部４４を構成する仕切部材１７０とによって構成される。
前記襠部材７０は、矩形状の底面部７２と、底面部７２の一方向における一端からのびて形成される、一端部を構成する矩形状の第１側面部７４と、前記底面部７２の一方向における他端からのびて形成される、他端部を構成する矩形状の第２側面部７６とを含む。
第１側面部７４と第２側面部７６とは、対称に形成されている。
【００１５】
収納部３０は、前記表胴部２２と前記裏胴部２４との間において開口部３２を有する袋状部３４が連続して複数並列して設けられている。
袋状部３４は、比較的柔軟なプラスチックシート製であり、略方形の第１主面部４２と底縁部５２並びに右側側縁部５４及び左側側縁部５６を挟んで第１主面部４２に対向する略方形の第２主面部４４とを連結されて収納部３０を形成する。
【００１６】
各袋状部３４を構成する底面部７２は、底面山折部８２と底面山折部８２との間及び第１傾斜折曲部１１０及び第３傾斜折曲部１１２との間において形成されている（図３参照）。
各袋状部３４を構成する底面部７２は、底面谷折部８４において手前側の底面構成材７２ａと向こう側の底面構成材７２ｂとに分割されている。
【００１７】
各袋状部３４を構成する第１側面部７４は、第１側面谷折部９４と第１側面谷折部９４との間及び第１傾斜折曲部１１０及び第３傾斜折曲部１１２もしくは第１拡張線部１５０との間において形成されている（図３参照）。
各袋状部３４を構成する第１側面部７４は、第１側面山折部９２において手前側の第１側面構成材７４ａと向こう側の第１側面構成材７４ｂとに分割されている。
各袋状部３４を構成する第２側面部７６は、第１側面谷折部９４と第１側面谷折部９４との間及び第２傾斜折曲部１２０及び第４傾斜折曲部１２２もしくは第２拡張線部１５２との間において形成されている（図３参照）。
各袋状部３４を構成する第２側面部７６は、第２側面山折部１０２において手前側の第２側面構成材７６ａと向こう側の第２側面構成材７６ｂとに分割されている。
【００１８】
襠部材７０は、胴部２０と連結するための接続代７８を、その長手両端縁に形成される（図３，図４及び図５参照）。接続代７８は、底面部７２及び第１側面部７４並びに第２側面部７６の一方向にのびる。
接続代７８は、胴部２０の底部２２４及び底部２４４に連設された底面部７２の一方の（手前側の）底部連結端部８６及び他方の（向こう側の）底部連結端部８８と、第１側面部７４の手前側に連設された右側の手前側の第１側部連結端部９６及び左側の向こう側の第１側部連結端部９８と、第１側面部７４の向こう側に連設された右側の手前側の第２側部連結端部１０６及び左側の向こう側の第２側部連結端部１０８とによって、構成される。
底面部７２に連設された底部連結端部８６及び底部連結端部８８は、底面部７２と同じ長さを備え、山折りもしくは谷折りして、外側面が胴部２０の底部２２４及び底部２４４の内側面と接着される。
第１側面部７４の手前側の第１側部連結端部９６及び向こう側の第１側部連結端部９８並びに第２側面部７６の手前側の第２側部連結端部１０６及び向こう側の第２側部連結端部１０８は、第１側面部７４及び第２側面部７６と同じ長さを備え、外側面が胴部２０の第１側部２２６及び第２側部２２８並びに第１側部２４６及び第２側部２４８の内側面と接着される。
【００１９】
襠部材７０の第３底面山折部８２Ａ，第３底面谷折部８４Ａ及び底部連結端部８６の端縁は、直線状であり、それぞれ平行に形成されており、底部連結端部８６は、第１胴部材２２０の折曲部２２４ａに平行に折り返し領域２３２に固定される。
襠部材７０の第４底面山折部８２Ｂ，第４底面谷折部８４Ｂ及び底部連結端部８８の端縁は、直線状であり、それぞれ平行に形成されており、底部連結端部８８は、第２胴部材２４０の折曲部２４４ａに平行に折り返し領域２５２に固定される。
【００２０】
襠部材７０の手前側の第１側部連結端部９６は、第１胴部材２２０の第１側部２２６の端縁に平行に第１側部２２６に固定され、襠部材７０の手前側の第２側部連結端部１０６は、第１胴部材２２０の第２側部２２８の端縁に平行に第２側部２２８に固定される。
襠部材７０の向こう側の第１側部連結端部９８は、第２胴部材２４０の第１側部２４６の端縁に平行に第１側部２４６に固定され、襠部材７０の向こう側の第２側部連結端部１０８は、第２胴部材２４０の第２側部２４８の端縁に平行に第２側部２４８に固定される。
【００２１】
第１胴部材２２０の折り返し領域２３２の下端縁と折曲部２２４ａとは、平行な直線状であり、襠部材７０の第３底面山折部８２Ａ及び第３底面谷折部８４Ａとは、平行な直線状である。
そして、第１胴部材２２０の底部２２４の内側面と折り返し領域２３２の内側面との間に襠部材７０の底部連結端部８６を挟み込んだときに、第１胴部材２２０の折曲部２２４ａと襠部材７０の第３底面山折部８２Ａ及び第３底面谷折部８４Ａとは平行にして、襠部材７０の底部連結端部８６は、第１胴部材２２０の底部２２４の内側面と折り返し領域２３２の内側に固定される。
第２胴部材２４０の折り返し領域２５２の下端縁と折曲部２４４ａとは、平行な直線状であり、襠部材７０の第４底面山折部８２Ｂ及び第４底面谷折部８４Ｂとは、平行な直線状である。
そして、第２胴部材２４０の底部２４４の内側面と折り返し領域２５２の内側面との間に襠部材７０の底部連結端部８８を挟み込んだときに、第２胴部材２４０の折曲部２４４ａと襠部材７０の第４底面山折部８２Ｂ及び第４底面谷折部８４Ｂとは平行にして、襠部材７０の底部連結端部８８は、第２胴部材２４０の底部２４４の内側面と折り返し領域２５２の内側に固定される。
【００２２】
底部連結端部８６は、その左右の端部が手前側の第１側部連結端部９６及び手前側の第２側部連結端部１０６の下端部の重ね合わせ領域と重ね合わされる、重ね合わせ領域を構成している。
底部連結端部８８は、その左右の端部が向こう側の第１側部連結端部９８及び向こう側の第２側部連結端部１０８の下端部の重ね合わせ領域と重ね合わされる、重ね合わせ領域を構成している。
【００２３】
襠部材７０は、最も手前側にある、すなわち表胴部２２側にある向こう側の底面構成材７２ｂ2に続いて、手前側の介在底面構成材７２ａ1が第３底面谷折部８４Ａを挟んで連設されている。
そして、襠部材７０は、手前側の介在底面構成材７２ａ1に続いて、第３底面山折部８２Ａを挟んで底部連結端部８６が連設されている。
第３底面山折部８２Ａと第３底面谷折部８４Ａとは平行であり、手前側の介在底面構成材７２ａ1は、底部連結端部８６の幅（第１側面部７４と第２側面部７６との間における水平方向の幅）より短い幅であり、正面視方形状に形成されている。
底部連結端部８６は、手前側の介在底面構成材７２ａ1の第１側面部７４側の右端より突き出た第１重ね合わせ部８６ａと手前側の介在底面構成材７２ａ1の第２側面部７６側の左端より突き出た第２重ね合わせ部８６ｂとを有している。
【００２４】
襠部材７０は、最も向こう側にある、すなわち裏胴部２４側にある手前側の底面構成材７２ａ2に続いて、向こう側の介在底面構成材７２ｂ1が第４底面谷折部８４Ｂを挟んで連設されている。
そして、襠部材７０は、向こう側の介在底面構成材７２ｂ1に続いて、第４底面山折部８２Ｂを挟んで底部連結端部８８が連設されている。
第４底面山折部８２Ｂと第４底面谷折部８４Ｂとは平行であり、向こう側の介在底面構成材７２ｂ1は、底部連結端部８８の幅（第１側面部７４と第２側面部７６との間における水平方向の幅）より短い幅であり、正面視方形状に形成されている。
底部連結端部８８は、向こう側の介在底面構成材７２ｂ1の第１側面部７４側の右端より突き出た第３重ね合わせ部８８ａと向こう側の介在底面構成材７２ｂ1の第２側面部７６側の左端より突き出た第４重ね合わせ部８８ｂとを有している。
【００２５】
手前側の第１側部連結端部９６は、襠部材７０を展開した状態において、前記手前側の介在底面構成材７２ａ1と並んで、手前側の介在底面構成材７２ａ1の長さ方向にのびており、最も手前側の介在底面構成材７２ａ1に近い左端に、第５重ね合わせ部９６ａを有している。
手前側の第２側部連結端部１０６は、襠部材７０を展開した状態において、前記手前側の介在底面構成材７２ａ1と並んで、手前側の介在底面構成材７２ａ1の長さ方向にのびており、最も手前側の介在底面構成材７２ａ1に近い右端に、第６重ね合わせ部１０６ａを有している。
【００２６】
向こう側の第１側部連結端部９８は、襠部材７０を展開した状態において、前記向こう側の介在底面構成材７２ｂ1と並んで、向こう側の介在底面構成材７２ｂ1の長さ方向にのびており、最も向こう側の介在底面構成材７２ｂ1に近い左端に、第７重ね合わせ部９８ａを有している。
向こう側の第２側部連結端部１０８は、襠部材７０を展開した状態において、前記向こう側の介在底面構成材７２ｂ1と並んで、向こう側の介在底面構成材７２ｂ1の長さ方向にのびており、最も向こう側の介在底面構成材７２ｂ1に近い右端に、第８重ね合わせ部１０８ａを有している。
【００２７】
最も表胴部２２側にある向こう側の底面構成材７２ｂ2と最も表胴部２２側にある向こう側の第１側面構成材７４ｂ1との間に形成された、最も表胴部２２側にある向こう側の隅部構成材６０ｂ1は、第５重ね合わせ部９６ａと隣接する。
最も表胴部２２側にある向こう側の底面構成材７２ｂ2と最も表胴部２２側にある向こう側の第２側面構成材７６ｂ1との間に形成された、最も表胴部２２側にある向こう側の隅部構成材６２ｂ1は、第６重ね合わせ部１０６ａと隣接する。
最も裏胴部２４側にある手前側の底面構成材７２ａ2と最も裏胴部２４側にある手前側の第１側面構成材７４ａ1との間に形成された、最も裏胴部２４側にある手前側の隅部構成材６０ａ1は、第７重ね合わせ部９８ａと隣接する。
最も裏胴部２４側にある手前側の底面構成材７２ａ2と最も裏胴部２４側にある手前側の第２側面構成材７６ａ1との間に形成された、最も裏胴部２４側にある手前側の隅部構成材６２ａ1は、第８重ね合わせ部１０８ａと隣接する。
【００２８】
手前側の第１側部連結端部９６の下端縁は、第３側面山折部９２Ａの端に至る第１切り込み９６ｂにより、折り曲げ可能な重ね合わせ領域を構成している。
向こう側の第１側部連結端部９８の下端縁は、第３側面谷折部９２Ｂの端に至る第２切り込み９８ｂにより、折り曲げ可能な重ね合わせ領域を構成している。
第１胴部材２２０の折り返し領域２３２は、下端縁の右側に、正面視半円弧状の第１逃げ用凹部２３４ａを凹設され、且つ、下端縁の左側に、正面視半円弧状の第２逃げ用凹部２３４ｂを凹設されている。
【００２９】
手前側の第２側部連結端部１０６の下端縁は、第４側面山折部１０２Ａの端に至る第３切り込み１０６ｂにより、折り曲げ可能な重ね合わせ領域を構成している。
向こう側の第２側部連結端部１０８の下端縁は、第４側面谷折部１０２Ｂの端に至る第４切り込み１０８ｂにより、折り曲げ可能な重ね合わせ領域を構成している。
【００３０】
第１胴部材２２０の第１逃げ用凹部２３４ａは、向こう側の第１側面構成材７４ｂ1及び向こう側の隅部構成材６０ｂ1と対向する。
第１胴部材２２０の第２逃げ用凹部２３４ｂは、向こう側の第２側面構成材７６ｂ1及び向こう側の隅部構成材６２ｂ1と対向する。
第１胴部材２２０の第１逃げ用凹部２３４ａは、表胴部２２の内側面より立ち上がる向こう側の第１側面構成材７４ｂ1及び向こう側の隅部構成材６０ｂ1と対向して、向こう側の第１側面構成材７４ｂ1及び向こう側の隅部構成材６０ｂ1を立ち上げることができるように構成されている。
第１胴部材２２０の第２逃げ用凹部２３４ｂは、表胴部２２の内側面より立ち上がる向こう側の第２側面構成材７６ｂ1及び向こう側の隅部構成材６２ｂ1と対向して、向こう側の第２側面構成材７６ｂ1及び向こう側の隅部構成材６２ｂ1を立ち上げることができるように構成されている。
第２胴部材２４０の折り返し領域２５２は、下端縁の右側に、正面視半円弧状の第１逃げ用凹部２５４ａを凹設され、且つ、下端縁の左側に、正面視半円弧状の第２逃げ用凹部２５４ｂを凹設されている。
【００３１】
第２胴部材２４０の第１逃げ用凹部２５４ａは、手前側の第１側面構成材７４ａ1及び手前側の隅部構成材６０ａ1と対向する。
第２胴部材２４０の第２逃げ用凹部２５４ｂは、手前側の第２側面構成材７６ａ1及び手前側の隅部構成材６２ａ1と対向する。
第２胴部材２４０の第１逃げ用凹部２５４ａは、裏胴部２４の内側面より立ち上がる手前側の第１側面構成材７４ａ1及び手前側の隅部構成材６０ａ1と対向して、手前側の第１側面構成材７４ａ1及び手前側の隅部構成材６０ａ1を立ち上げることができるように構成されている。
第２胴部材２４０の第２逃げ用凹部２５４ｂは、裏胴部２４の内側面より立ち上がる手前側の第２側面構成材７６ａ1及び手前側の隅部構成材６２ａ1と対向して、手前側の第２側面構成材７６ａ1及び手前側の隅部構成材６２ａ1を立ち上げることができるように構成されている。
【００３２】
前記表胴部２２を有する第１胴部材２２０は、前記収納部３０の前記固定される一方の底部連結端部８６の端縁に対応する部位において折り返し、該一方の底部連結端部８６を表胴部２２の主面の底部２２４の領域と折り返し領域２３２とにより挟み、収納部３０の一方の底部連結端部８６に固定される。
前記裏胴部２４を有する第２胴部材２４０は、前記収納部３０の前記固定される他方の底部連結端部８８の端縁に対応する部位において折り返し、該他方の底部連結端部８８を裏胴部２４の主面の底部２４４の領域と折り返し領域２５２とにより挟み、収納部３０の他方の底部連結端部８８に固定される。
【００３３】
前記収納部３０の底面部７２の底部連結端部８６と前記表胴部２２の底部２２４の折り返し領域２３２とが重なり合い、且つ前記収納部３０の第１側面部７４及び第２側面部７６と前記表胴部２２の第１側部２２６及び第２側部２２８の領域とが重なり合うとともに、収納部３０並びに表胴部２２の第１隅部６０及び第２隅部６２において、前記収納部３０の底部連結端部８６並びに表胴部２２の底部２２４の折り返し領域２３２と前記収納部３０の手前側の第１側部連結端部９６及び手前側の第２側部連結端部１０６並びに表胴部２２の第１側部２２６及び第２側部２２８の領域とが重なり合って固定される。
底部連結端部８６は、その右の端部の第１重ね合わせ部８６ａが手前側の第１側部連結端部９６の下端部の重ね合わせ領域（第５重ね合わせ部９６ａ）と重ね合わされ、且つその左側の端部の第２重ね合わせ部８６ｂが手前側の第２側部連結端部１０６の下端部の重ね合わせ領域（第６重ね合わせ部１０６ａ）と重ね合わされる。
【００３４】
前記収納部３０の底面部７２の底部連結端部８８と前記裏胴部２４の底部２４４の折り返し領域２５２とが重なり合い、且つ前記収納部３０の第１側面部７４及び第２側面部７６と前記裏胴部２４の第１側部２４６及び第２側部２４８の領域とが重なり合うとともに、収納部３０並びに裏胴部２４の第１隅部６０及び第２隅部６２において、前記収納部３０の底部連結端部８８並びに裏胴部２４の底部２４４の折り返し領域２５２と前記収納部３０の向こう側の第１側部連結端部９８及び向こう側の第２側部連結端部１０８並びに裏胴部２４の第１側部２４６及び第２側部２４８の領域とが重なり合って固定される。
底部連結端部８８は、その右の端部の第３重ね合わせ部８８ａが向こう側の第１側部連結端部９８の下端部の重ね合わせ領域（第７重ね合わせ部９８ａ）と重ね合わされ、且つその左側の端部の第４重ね合わせ部８８ｂが向こう側の第２側部連結端部１０８の下端部の重ね合わせ領域（第８重ね合わせ部１０８ａ）と重ね合わされる。
【００３５】
前記表胴部２２の折り返し領域２３２は、折曲部２２４ａとは反対側の端縁には、前記収納部３０の手前側の第１側部連結端部９６及び手前側の第２側部連結端部１０６並びに手前側の第１側部連結端部９６及び手前側の第２側部連結端部１０６に連設された手前側の第２側面構成材７６ａと重ならないように第１逃げ用凹部２３４ａ及び第２逃げ用凹部２３４ｂを形成されている。第１逃げ用凹部２３４ａ及び第２逃げ用凹部２３４ｂは、手前側の第２側面構成材７６ａに対向させて、表胴部２２の折り返し領域２３２を収納部３０の手前側の第１側部連結端部９６及び手前側の第２側部連結端部１０６の一部に重ね合わせて固定される。
前記裏胴部２４の折り返し領域２５２は、折曲部２４４ａとは反対側の端縁には、前記収納部３０の向こう側の第１側部連結端部９８及び向こう側の第２側部連結端部１０８並びに向こう側の第１側部連結端部９８及び向こう側の第２側部連結端部１０８に連設された向こう側の第２側面構成材７６ｂと重ならないように第１逃げ用凹部２５４ａ及び第２逃げ用凹部２５４ｂを形成されている。第１逃げ用凹部２５４ａ及び第２逃げ用凹部２５４ｂは、向こう側の第２側面構成材７６ｂに対向させて、裏胴部２４の折り返し領域２５２を収納部３０の向こう側の第１側部連結端部９８及び向こう側の第２側部連結端部１０８の一部に重ね合わせて固定される。
【００３６】
収納部３０を第１胴部材２２０及び第２胴部材２４０に固定し連続して収納部３０を蛇腹状に形成したとき、手前側の介在底面構成材７２ａ1は、向こう側の底面構成材７２ｂ2と対向する。
収納部３０を第１胴部材２２０及び第２胴部材２４０に固定し連続して収納部３０を蛇腹状に形成したとき、向こう側の介在底面構成材７２ｂ1は、手前側の底面構成材７２ａ2と対向する。
【００３７】
手前側の第１側部連結端部９６は、向こう側の第１側面構成材７４ｂ1と対向する。
手前側の第２側部連結端部１０６は、向こう側の第２側面構成材７６ｂ1と対向する。
向こう側の第１側部連結端部９８は、手前側の第１側面構成材７４ａ1と対向する。
向こう側の第２側部連結端部１０８は、手前側の第２側面構成材７６ａ1と対向する。
【００３８】
底部２２４を有する表胴部２２及び底部２４４を有する裏胴部２４と、前記表胴部２２と裏胴部２４との間に連設される第１側面部７４及び第２側面部７６及び底面部７２を有する収納部３０とを固定することによって、収納具１０を製造する方法は、次の工程（ステップ）を含む。
【００３９】
（連結端部の重ね合わせステップ）
まず、表胴部２２の底部２２４に固定される収納部３０を構成する襠部材７０の一方の底部連結端部８６と表胴部２２の第１側部２２６及び第２側部２２８に固定される収納部３０の一方の手前側の第１側部連結端部９６及び手前側の第２側部連結端部１０６とを、第１側面部７４及び第２側面部７６と底面部７２とが交わる第１隅部６０及び第２隅部６２において所定の角度を有して重なり合うように位置決めをして重ね合わせる（図１５ないし図１７参照）。
この実施の形態においては、表胴部２２の底部２２４の内側面に手前側の介在底面構成材７２ａ1を対向させ、底部連結端部８６の端縁を第１胴部材２２０の折曲部２２４ａに平行に沿わせる。また、表胴部２２の第１側部２２６及び第２側部２２８の近傍の内側面に、手前側の第１側部連結端部９６を第１側部２２６及び第２側部２２８に平行に沿わせる。
底部連結端部８６は、その右の端部の第１重ね合わせ部８６ａが手前側の第１側部連結端部９６の下端部の重ね合わせ領域（第５重ね合わせ部９６ａ）と重ね合わされ、且つその左側の端部の第２重ね合わせ部８６ｂが手前側の第２側部連結端部１０６の下端部の重ね合わせ領域（第６重ね合わせ部１０６ａ）と重ね合わされる。
【００４０】
（第１の連結端部固定ステップ）
前記重ね合わされた収納部３０の一方の底部連結端部８６と収納部３０の一方の手前側の第１側部連結端部９６及び手前側の第２側部連結端部１０６とを固定する（図１８参照）。
この実施の形態においては、まず、表胴部２２の内側面と重ね合わされた収納部３０の手前側の第１側部連結端部９６及び手前側の第２側部連結端部１０６を複数個所スポット溶着するとともに、表胴部２２と重ね合わされた底部連結端部８６の第１重ね合わせ部８６ａと手前側の第１側部連結端部９６の第５重ね合わせ部９６ａとの部位及び底部連結端部８６の第２重ね合わせ部８６ｂと手前側の第２側部連結端部１０６の第６重ね合わせ部１０６ａとの部位を、それぞれ１箇所スポット溶着する。
【００４１】
（連結端部の重ね合わせステップ）
裏胴部２４の底部２４４に固定される収納部３０を構成する襠部材７０の他方の底部連結端部８８と裏胴部２４の第１側部２４６及び第２側部２４８に固定される収納部３０の他方の向こう側の第１側部連結端部９８及び向こう側の第２側部連結端部１０８とを、第１側面部７４及び第２側面部７６と底面部７２とが交わる第１隅部６０及び第２隅部６２において所定の角度を有して重なり合うように位置決めをして重ね合わせる（図１７参照）。
この実施の形態においては、裏胴部２４の底部２４４の内側面に向こう側の介在底面構成材７２ｂ1を対向させ、底部連結端部８８の端縁を第２胴部材２４０の折曲部２４４ａに平行に沿わせる。また、裏胴部２４の第１側部２４６及び第２側部２４８の近傍の内側面に、向こう側の第１側部連結端部９８を第１側部２４６及び第２側部２４８に平行に沿わせる。
底部連結端部８８は、その右の端部の第３重ね合わせ部８８ａが向こう側の第１側部連結端部９８の下端部の重ね合わせ領域（第７重ね合わせ部９８ａ）と重ね合わされ、且つその左側の端部の第４重ね合わせ部８８ｂが向こう側の第２側部連結端部１０８の下端部の重ね合わせ領域（第８重ね合わせ部１０８ａ）と重ね合わされる。
【００４２】
（第２の連結端部固定ステップ）
前記重ね合わされた収納部３０を構成する襠部材７０の他方の底部連結端部８８と収納部３０の他方の向こう側の第１側部連結端部９８及び向こう側の第２側部連結端部１０８とを固定する（図１７参照）。
この実施の形態においては、まず、裏胴部２４の内側面と重ね合わされた収納部３０の向こう側の第１側部連結端部９８及び向こう側の第２側部連結端部１０８を複数個所スポット溶着するとともに、裏胴部２４と重ね合わされた底部連結端部８８の第３重ね合わせ部８８ａと向こう側の第１側部連結端部９８の第７重ね合わせ部９８ａとの部位及び底部連結端部８８の第４重ね合わせ部８８ｂと向こう側の第２側部連結端部１０８の第８重ね合わせ部１０８ａとの部位を１箇所スポット溶着する。
【００４３】
（第１の底部連結端部及び手前側の第１側部連結端部及び手前側の第２側部連結端部並びに折り返し領域の固定ステップ）
表胴部２２を、収納部３０の一方の底部連結端部８６及び収納部３０の一方の手前側の第１側部連結端部９６及び手前側の第２側部連結端部１０６の上に重ね合わせ、表胴部２２の底部２２４に連設された折り返し領域２３２を折曲部２２４ａにおいて折り返し、表胴部２２の主面の底部２２４の領域と該折り返し領域２３２とにより、前記固定された収納部３０の一方の底部連結端部８６及び収納部３０の手前側の第１側部連結端部９６及び手前側の第２側部連結端部１０６の重なり合う部位を挟み、表胴部２２の折り返し領域２３２と収納部３０の一方の底部連結端部８６及び収納部３０の一方の手前側の第１側部連結端部９６及び手前側の第２側部連結端部１０６とを固定する（図１９ないし図２１参照）。
この実施の形態においては、表胴部２２の内側面と重ね合わされた収納部３０の底部連結端部８６と表胴部２２の底部２２４及び折り返し領域２３２とを複数個所スポット溶着するとともに、表胴部２２の底部２２４及び折り返し領域２３２と重ね合わされた底部連結端部８６の第１重ね合わせ部８６ａと手前側の第１側部連結端部９６の第５重ね合わせ部９６ａと及び底部連結端部８６の第２重ね合わせ部８６ｂと手前側の第２側部連結端部１０６の第６重ね合わせ部１０６ａとを、それぞれ２箇所スポット溶着する。
【００４４】
（第２の底部連結端部及び向こう側の第１側部連結端部及び向こう側の第２側部連結端部並びに折り返し領域の固定ステップ）
裏胴部２４を、収納部３０の他方の底部連結端部８８及び収納部３０の他方の向こう側の第１側部連結端部９８及び向こう側の第２側部連結端部１０８の上に重ね合わせ、裏胴部２４の底部２４４に連設された折り返し領域２５２を折曲部２４４ａにおいて折り返し、裏胴部２４の主面の底部２４４の領域と該折り返し領域２５２とにより、前記固定された収納部３０の他方の底部連結端部８８及び収納部３０の他方の向こう側の第１側部連結端部９８及び向こう側の第２側部連結端部１０８の重なり合う部位を挟み、裏胴部２４の折り返し領域２５２と収納部３０の他方の底部連結端部８８及び収納部３０の他方の向こう側の第１側部連結端部９８及び向こう側の第２側部連結端部１０８とを固定する（図１９ないし図２１参照）。
この実施の形態においては、裏胴部２４の内側面と重ね合わされた収納部３０の底部連結端部８８と裏胴部２４の底部２４４及び折り返し領域２５２とを複数個所スポット溶着するとともに、裏胴部２４の底部２４４及び折り返し領域２５２と重ね合わされた底部連結端部８８の第３重ね合わせ部８８ａと向こう側の第１側部連結端部９８の第７重ね合わせ部９８ａと及び底部連結端部８８の第４重ね合わせ部８８ｂと向こう側の第２側部連結端部１０８の第８重ね合わせ部１０８ａとを、それぞれ２箇所スポット溶着する。
【００４５】
襠部材７０を第１胴部材２２０及び第２胴部材２４０に固定する方法としては、超音波溶着によるスポットに溶着する方法、ミシンにより縫製する方法等がある。
【００４６】
収納部３０は、前記表胴部２２と前記裏胴部２４との間において開口部３２を有する袋状部３４が連続して複数並列して設けられている。
袋状部３４は、比較的柔軟なプラスチックシート製であり、略方形の第１主面部４２と底縁部５２及び右側側縁部５４並びに左側側縁部５６を挟んで第１主面部４２に対向する略方形の第２主面部４４とを連結されて収納部３０を形成する。
【００４７】
収納部３０は、底縁部５２と右側側縁部５４とが交わる第１隅部６０及び底縁部５２と左側側縁部５６とが交わる第２隅部６２が、傾斜折曲部によって丸みを有するいわゆる面取りされた隅部の構造を有し、底縁部５２と右側側縁部５４と交差する部分及び底縁部５２と左側側縁部５６とが交差する部分は、曲線折曲部によって角張らず、丸みを有している。
【００４８】
直線状の底縁部５２及び底縁部５２に交差する直線状の右側側縁部５４並びに直線状の、左側側縁部５６は、隣接する底縁部５２、右側側縁部５４及び左側側縁部５６が適宜な間隔をおいて重なり複数並列して連続されて、袋状部３４を蛇腹状に並列されるように形成されている。
収納部３０を構成する袋状部３４は、各袋状部を構成する隣り合う第１袋状部３４ａと第２袋状部３４ｂとの間に第１主面部４２及び第２主面部４４を設けられ、区画されている。
第１袋状部３４ａは、対向する第１主面部４２と第２主面部４４とによって囲まれた、収納空間を備え、第１袋状部３４ａと手前側において隣り合う第２袋状部３４ｂは、前記第１袋状部３４ａを形成する第２主面部４４と第２主面部４４に対向する第１主面部４２とによって囲まれた、収納空間を備える。更に、第２袋状部３４ｂに手前側において隣り合う第１袋状部３４ａは、前記第２袋状部３４ｂを形成する第１主面部４２と第１主面部４２に対向する第２主面部４４とによって囲まれた、収納空間を備える。
右側側縁部５４と左側側縁部５６との間において、第１主面部４２と第２主面部４４とが離れるように構成された直線状の開口縁部５８を形成されている。
【００４９】
この袋状部３４は、被収納物Ｘを収納可能であり、前記並列された複数の袋状部３４の各開口部３２間の空間が伸縮自在に形成されている。
右側側縁部５４及び左側側縁部５６は、垂直方向にのびており、水平方向にのびる開口縁部５８及び底縁部５２と直交ないしは交差する。
【００５０】
収納部３０は、開口部３２を有する袋状部３４が底縁部５２、右側側縁部５４及び左側側縁部５６が複数並列して連続して連結されており、開口部３２を構成する開口縁部５８が複数並列され、隣接する第１袋状部３４ａと第２袋状部３４ｂとを連設する袋状部３４の開口縁部５８の間の空間が伸縮自在に形成されたものである。袋状部３４を構成する各第１袋状部３４ａ及び第２袋状部３４ｂは同形、同大で、開口縁部５８及び底縁部５２は、それぞれ水平面上に一直線に並び、右側側縁部５４及び左側側縁部５６は、垂直面上に一直線に並ぶ。
この実施の形態においては、開口縁部５８と底縁部５２とは平行で、開口縁部５８及び底縁部５２と右側側縁部５４及び左側側縁部５６とは、直交する。
右側側縁部５４及び左側側縁部５６は、底縁部５２の左右端と開口縁部５８の左右端との間において、形成されている。
収納部３０が胴部２０の表胴部２２と裏胴部２４との間に固定されることにより、胴部２０の開閉に伴って収納部３０の開口部３２側が拡がる略扇子状又は底縁部５２及び右側側縁部５４及び左側側縁部５６が均等に広がる蛇腹状ないしはアコーディオン状に伸縮する。
【００５１】
収納部３０は、底縁部５２及び右側側縁部５４及び左側側縁部５６を連結して一体成形された、襠部材７０と、前記襠部材７０に連結される第１主面部４２及び第２主面部４４を構成する仕切部材１７０とにより形成される。
【００５２】
上端に開口部３２を有する収納部３０を構成する襠部材７０は、組み立てられて収納部３０を形成された収納部３０の下縁の両隅部が、丸みを有するいわゆる面取りされた隅部の構造を備えるように構成されている。
面取りされた隅部の構造は、収納部３０を構成する一端部と、前記一端部以外の他端部であって前記一端部に直交する方向にのびる他端部とを有する隅部において、前記収納部３０の前記一端部の直線状の稜線と前記収納部３０の前記他端部の直線状の稜線とが、丸みを有する曲線状の稜線（曲線折曲部）を介して、斜めに傾斜折曲部によって接続されたことを特徴する。
【００５３】
前記襠部材７０は、矩形状の底面部７２と、前記一端部を構成する底面部７２の一方向における一端からのびて形成される、前記他端部を構成する矩形状の第１側面部７４と、及び前記底面部７２の前記一方向における他端からのびて形成される、前記他端部を構成する矩形状の第２側面部７６とを含む。
第１側面部７４と第２側面部７６とは、対称に形成されている。
【００５４】
前記底面部７２は、その前記一方向に直交する直交方向（前後方向）における中間に、稜線を構成する底面折曲部８０を形成されている。
前記第１側面部７４は、その前記直交方向（前後方向）における中間に、稜線を構成する第１側面折曲部９０を形成されている。
前記第２側面部７６は、その前記直交方向（前後方向）における中間に、稜線を構成する第２側面折曲部１００を形成されている。
前記底面折曲部８０及び前記第１側面折曲部９０間に、稜線を構成する第１傾斜折曲部１１０が斜めに形成され、前記底面折曲部８０及び前記第２側面折曲部１００間に、稜線を構成する第２傾斜折曲部１２０が斜めに形成されている。
前記底面折曲部８０及び前記第１側面折曲部９０は、それぞれ、曲線状の向こう側の第１曲線折曲部１３０及び手前側の第１曲線折曲部１３２を介して前記第１傾斜折曲部１１０に接続されている。第１側面折曲部９０と第１傾斜折曲部１１０とは、上方の向こう側の第１曲線折曲部１３０により斜交するように接続され、底面折曲部８０と第１傾斜折曲部１１０とは、下方の手前側の第１曲線折曲部１３２により斜交するように接続されている。
更に、前記底面折曲部８０及び前記第２側面折曲部１００は、それぞれ、曲線状の向こう側の第２曲線折曲部１４０及び手前側の第２曲線折曲部１４２を介して前記第２傾斜折曲部１２０に接続されている。第２側面折曲部１００と第２傾斜折曲部１２０とは、上方の向こう側の第２曲線折曲部１４０により斜交するように接続され、底面折曲部８０と第２傾斜折曲部１２０とは、下方の手前側の第２曲線折曲部１４２により斜交するように接続されている。
【００５５】
底面折曲部８０と第１側面折曲部９０とは、平行で、空間をあけて並列されており、且つ、底面折曲部８０の外側（右側端）と第１側面折曲部９０の内側（左側端）とは、面取りされた第１隅部６０を形成するための適宜な間隔をおいて向き合う。
襠部材７０を展開した状態において、底面折曲部８０の外側（右側端）と第１傾斜折曲部１１０の手前側端とは、手前側の第１曲線折曲部１３２を介して接続されており、且つ、第１側面折曲部９０の内側（左側端）と第１傾斜折曲部１１０の向こう側端とは、向こう側の第１曲線折曲部１３０を介して接続されている。
底面折曲部８０と第２側面折曲部１００とは、平行で、空間をあけて並列されており、且つ、底面折曲部８０の外側（左側端）と第２側面折曲部１００の内側（右側端）とは、面取りされた第２隅部６２を形成するための適宜な間隔をおいて向き合う。
襠部材７０を展開した状態において、底面折曲部８０の外側（左側端）と第２傾斜折曲部１２０の手前側端とは、手前側の第２曲線折曲部１４２を介して接続されており、且つ、第２側面折曲部１００の内側（右側端）と第２傾斜折曲部１２０の向こう側端とは、向こう側の第２曲線折曲部１４０を介して接続されている。
【００５６】
前記底面折曲部８０は、前記底面部７２の前記前後方向における中央において外側に向けて突出した、稜線を有する底面谷折部８４、及び前記底面谷折部８４の両側において内側に向けて突出する底面山折部８２を含む。
前記第１側面折曲部９０は、前記第１側面部７４の前後方向（襠部材７０を展開した状態における幅方向）における中央で内側に向けて突出する第１側面山折部９２、及び前記第１側面山折部９２の両側で外側に向けて突出した、稜線を有する第１側面谷折部９４を含む。
前記第２側面折曲部１００は、前記第２側面部７６の前後方向（襠部材７０を展開した状態における幅方向）における中央で内側に向けて突出する第２側面山折部１０２、及び前記第２側面山折部１０２の両側で外側に向けて突出した、稜線を有する第２側面谷折部１０４を含む。
【００５７】
襠部材７０を展開した状態において、第１袋状部３４ａの向こう側の第１曲線折曲部１３０と、第１袋状部３４ａに隣接する第１袋状部３４ａと第２袋状部３４ｂとの間の手前側の第１曲線折曲部１３２との間には、第３傾斜折曲部１１２が形成されている。そして、第３傾斜折曲部１１２は、向こう側の第１曲線折曲部１３０及び手前側の第１曲線折曲部１３２とは、接続されていない。
襠部材７０を展開した状態において、第１袋状部３４ａの向こう側の第２曲線折曲部１４０と、第１袋状部３４ａに隣接する第１袋状部３４ａと第２袋状部３４ｂとの間の手前側の第２曲線折曲部１４２との間には、第４傾斜折曲部１２２が形成されている。そして、第４傾斜折曲部１２２は、向こう側の第２曲線折曲部１４０及び手前側の第２曲線折曲部１４２とは、接続されていない。
襠部材７０を展開した状態において、第１傾斜折曲部１１０と第３傾斜折曲部１１２とは、約９０度の角度を有しており、又、第２傾斜折曲部１２０と第４傾斜折曲部１２２とは、約９０度の角度を有している。
【００５８】
底面山折部８２と底面谷折部８４とは、平行で、面取りされた第１隅部６０を形成するための適宜な間隔をおいて並列されており、底面谷折部８４の外側（右側端）と第１側面谷折部９４の内側（左側端）とは、面取りされた第１隅部６０を形成するための適宜な間隔をおいて向き合う。
襠部材７０を展開した状態において、底面谷折部８４の外側（右側端）と第１傾斜折曲部１１０の手前側端とは、丸みを有する隅部を形成するための手前側の第１曲線折曲部１３２を介して接続されており、且つ、第１側面谷折部９４の内側（左側端）と第１傾斜折曲部１１０の向こう側端とは、丸みを有する隅部を形成するための向こう側の第１曲線折曲部１３０を介して接続されている。
襠部材７０を展開した状態において、底面谷折部８４の外側（左側端）と第２傾斜折曲部１２０の手前側端とは、丸みを有する隅部を形成するための手前側の第２曲線折曲部１４２を介して接続されており、且つ、第２側面谷折部１０４の内側（右側端）と第２傾斜折曲部１２０の向こう側端とは、丸みを有する隅部を形成するための向こう側の第２曲線折曲部１４０を介して接続されている。
【００５９】
襠部材７０を展開した状態における向こう側の第１曲線折曲部１３０は、第１側面谷折部９４（を延長した線）と第１傾斜折曲部１１０（を延長した線分）とに内接する円の一部の円弧により構成されている。
襠部材７０を展開した状態における手前側の第１曲線折曲部１３２は、底面谷折部８４（を延長した線）と第１傾斜折曲部１１０（を延長した線分）とに内接する円の一部の円弧により構成されている。
襠部材７０を展開した状態における向こう側の第２曲線折曲部１４０は、第２側面谷折部１０４（を延長した線）と第１傾斜折曲部１１０（を延長した線分）とに内接する円の一部の円弧により構成されている。
襠部材７０を展開した状態における手前側の第２曲線折曲部１４２は、底面谷折部８４（を延長した線）と第２傾斜折曲部１２０（を延長した線分）とに内接する円の一部の円弧により構成されている。
而して、向こう側の第１曲線折曲部１３０及び手前側の第１曲線折曲部１３２の領域は、折り曲げ易くしたために、わん曲した丸みを備える隅角部を形成される。
向こう側の第２曲線折曲部１４０及び手前側の第２曲線折曲部１４２の領域は、折り曲げ易くしたために、わん曲した丸みを備える隅角部を形成される。
【００６０】
第１側面山折部９２と第１側面谷折部９４とは平行で、面取りされた第１隅部６０を形成するための適宜な間隔をおいて並列されており、第１側面谷折部９４の内側（左側端）と底面谷折部８４の外側（右側端）とは、面取りされた第１隅部６０を形成するための適宜な間隔をおいて向き合う。
底面谷折部８４と第１側面山折部９２とは、一直線状に並んでおり、第１側面山折部９２の内側（左側端）は、底面谷折部８４とは接することなく、手前側の第１曲線折曲部１３２の近くに至るが間隔をおいている。
第１側面山折部９２の内側（左側端）の近くから、第１側面谷折部９４の内側（左側端）及び向こう側の第１曲線折曲部１３０の近くに至る、直線状の第３傾斜折曲部１１２が形成されている。
第１傾斜折曲部１１０と第３傾斜折曲部１１２とは、略９０度の角度を備えており、第１側面谷折部９４の内側（左側端）から、底面山折部８２を挟んで形成された向こう側の底面谷折部８４と手前側の底面谷折部８４とに向けてのびている。
第１側面山折部９２の内側（左側端）と第３傾斜折曲部１１２の内側（左側端）とは適宜な間隔をあけて形成してもよく、又、図２４Ａ及び図２４Ｂにおいて示すように連続されてもよい。
【００６１】
第２側面山折部１０２と第２側面谷折部１０４とは、平行で、面取りされた第２隅部６２を形成するための適宜な間隔をおいて並列されており、第２側面谷折部１０４の内側（右側端）と底面谷折部８４の外側（左側端）とは、面取りされた第２隅部６２を形成するための適宜な間隔をおいて向き合う。
底面谷折部８４と第２側面山折部１０２とは、一直線状に並んでおり、第２側面山折部１０２の内側（右側端）は、底面谷折部８４とは接することなく、手前側の第２曲線折曲部１４２の近くに至るが間隔をおいている。
第２側面山折部１０２の内側（右側端）の近くから、第２側面谷折部１０４の内側（右側端）及び向こう側の第２曲線折曲部１４０の近くに至る、直線状の第４傾斜折曲部１２２が形成されている。
第２傾斜折曲部１２０と第４傾斜折曲部１２２とは、略９０度の角度を備えており、第２側面谷折部１０４の内側（右側端）から、底面山折部８２を挟んで形成された向こう側の底面谷折部８４と手前側の底面谷折部８４とに向けてのびている。
第２側面山折部１０２の内側（右側端）と第４傾斜折曲部１２２の内側（右側端）とは適宜な間隔をあけて形成してもよく、又、図２４Ａ及び図２４Ｂにおいて示すように連続されてもよい。
【００６２】
第１側面山折部９２と第１側面谷折部９４との間隔及び向こう側の第１曲線折曲部１３０と手前側の第１曲線折曲部１３２との間隔は、第１隅部６０の形状、傾斜角度を決定する。
第２側面山折部１０２と第２側面谷折部１０４との間隔及び向こう側の第２曲線折曲部１４０と手前側の第２曲線折曲部１４２との間隔は、第２隅部６２の形状、傾斜角度を決定する。
すなわち、第１傾斜折曲部１１０は、襠部材７０を展開した状態において、第１側面山折部９２と第１側面谷折部９４及び向こう側の第１曲線折曲部１３０と手前側の第１曲線折曲部１３２に囲まれた方形の対角線であることにより、第１隅部６０の形状、傾斜角度を決定する。
第２傾斜折曲部１２０は、襠部材７０を展開した状態において、第２側面山折部１０２と第２側面谷折部１０４及び向こう側の第２曲線折曲部１４０と手前側の第２曲線折曲部１４２に囲まれた方形の対角線であることにより、第２隅部６２の形状、傾斜角度を決定する。
【００６３】
底面谷折部８４と第１側面谷折部９４及び第２側面谷折部１０４とは谷折りされている。また、第１傾斜折曲部１１０及び第３傾斜折曲部１１２と第２傾斜折曲部１２０及び第４傾斜折曲部１２２とは、谷折りされている。
而して、底面谷折部８４と第１傾斜折曲部１１０及び第３傾斜折曲部１１２とは、それぞれ谷底が手前側の第１曲線折曲部１３２を介して連続し、且つ、第１側面谷折部９４と第１傾斜折曲部１１０及び第３傾斜折曲部１１２とは、それぞれ谷底が向こう側の第１曲線折曲部１３０を介して連続する（図３参照）。
また、底面谷折部８４と第２傾斜折曲部１２０及び第４傾斜折曲部１２２とは、それぞれ谷底が手前側の第２曲線折曲部１４２を介して連続し、且つ、第２側面谷折部１０４と第２傾斜折曲部１２０及び第４傾斜折曲部１２２とは、それぞれ谷底が向こう側の第２曲線折曲部１４０を介して連続する（図３参照）。
ここにおいて、谷折りとは、平面視（開口部３２から見たとき）谷折りであり、底面視（下から見たとき）は山折りとなる。すなわち、底面谷折部８４と第１側面谷折部９４及び第２側面谷折部１０４と第１傾斜折曲部１１０及び第３傾斜折曲部１１２と第２傾斜折曲部１２０及び第４傾斜折曲部１２２とは、谷折りされたとき、平面視（開口部３２から見たとき）谷底が、底面視（下から見たとき）の稜線を構成する。
【００６４】
第１側面山折部９２及び第１側面谷折部９４と第２側面山折部１０２及び第２側面谷折部１０４とは対称であり、第１傾斜折曲部１１０及び第３傾斜折曲部１１２と第２傾斜折曲部１２０及び第４傾斜折曲部１２２とは対称である。
手前側の第１側面構成材７４ａ及び向こう側の第１側面構成材７４ｂと手前側の第２側面構成材７６ａと向こう側の第２側面構成材７６ｂとは対称である。
手前側の隅部構成材６０ａ及び向こう側の隅部構成材６０ｂと手前側の隅部構成材６２ａ及び向こう側の隅部構成材６２ｂとは対称である。
【００６５】
前記収納部３０を構成するために並列された複数の前記底面部７２、前記第１側面部７４及び前記第２側面部７６は、蛇腹状に形成され、前記収納部３０の内部を前記底面部７２の直交方向において仕切るための第１主面部４２及び第２主面部４４からなる仕切部が、前記収納部３０の内部に形成されている。
仕切部を構成する第１主面部４２及び第２主面部４４は、同形、同大の仕切部材１７０により構成されている。
仕切部材１７０は、比較的柔軟なプラスチックシート製であり、その両端の接続部１７２及び接続部１７４を第１袋状部３４ａと第２袋状部３４ｂとを形成するために、第１側面部７４と第２側面部７６に接着されて、第１側面部７４と第２側面部７６との間に架設される。
仕切部材１７０は、第１側面山折部９２を挟んだ面側である向こう側の第１側面谷折部９４及び手前側の第１側面谷折部９４の向こう側の面に、接続部１７２を接し合わせて接着され、且つ、第２側面山折部１０２を挟んだ面側である向こう側の第２側面谷折部１０４及び手前側の第２側面谷折部１０４の向こう側の面に、接続部１７４を接し合わせて接着されている。
更に、仕切部材１７０は、底面山折部８２の向こう側の面に、接続部１７６を接し合わせて接着されている。
向こう側の第１側面谷折部９４及び第２側面谷折部１０４と手前側の第１側面谷折部９４及び第２側面谷折部１０４との間において第１袋状部３４ａの収納空間が形成される。
また、第１袋状部３４ａに隣り合う第２袋状部３４ｂは、第１袋状部３４ａを構成する手前側の第１側面谷折部９４及び第２側面谷折部１０４と、それに対向する向こう側の第１側面谷折部９４及び第２側面谷折部１０４との間において、収納空間が形成される。
【００６６】
第１側面山折部９２及び第１側面谷折部９４の内側で向こう側の第１曲線折曲部１３０との境界の近くにおいて、第１側面山折部９２と第１側面谷折部９４に直交して第１拡張線部１５０が形成されている。
第２側面山折部１０２及び第２側面谷折部１０４の内側で向こう側の第２曲線折曲部１４０との境界の近くにおいて、第２側面山折部１０２と第２側面谷折部１０４に直交して第２拡張線部１５２が形成されている。
そして、第１拡張線部１５０と第１側面山折部９２との交差部分は、袋状部３４に多くの被収納物Ｘを収納したときに、外方に向けて第１側面山折部９２の外側領域とともに拡張する。
【００６７】
前記襠部材７０は、一枚のポリプロピレン等のプラスチック製シートを、図４Ｄにおいて示すようにトムソン加工によって形成される溝により、底面部７２、第１側面部７４及び第２側面部７６に区画されることにより構成されている。
【００６８】
襠部材７０は、矩形状の底面部７２と、前記一端部を構成する底面部７２の一方向における一端から右側方向にのびて形成される、前記他端部を構成する第１側面部７４と、前記底面部７２の前記一方向における他端から左側方向にのびて形成される、前記他端部を構成する第２側面部７６とを含む。
前記底面部の前記一方向に直交する前後方向における中間に、稜線を構成する底面折曲部が形成されている。
襠部材７０は、底面部７２、第１側面部７４及び第２側面部７６によって一つの袋状部３４を形成されるように構成されており、第１袋状部３４ａに続いて向こう側から順に、同一形状の第２袋状部３４ｂ、第１袋状部３４ａ、第２袋状部３４ｂと並列されている。
【００６９】
前記第１側面部７４は、その前記前後方向における中間に、稜線を構成する第１側面折曲部９０を形成されている。
前記第２側面部７６は、その前記前後方向における中間に、稜線を構成する第２側面折曲部１００を形成されている。
前記底面折曲部８０及び前記第１側面折曲部９０間に、稜線を構成する第１傾斜折曲部１１０が斜めに形成されている。
前記底面折曲部８０及び前記第２側面折曲部１００間に、稜線を構成する第２傾斜折曲部１２０が斜めに形成されている。
【００７０】
前記底面折曲部８０及び前記第１側面折曲部９０は、それぞれ、上方にある曲線状の向こう側の第１曲線折曲部１３０及び下方にある手前側の第１曲線折曲部１３２を介して前記第１傾斜折曲部１１０に接続され、さらに前記底面折曲部８０及び前記第２側面折曲部１００は、それぞれ、上方にある曲線状の向こう側の第２曲線折曲部１４０及び下方にある手前側の第２曲線折曲部１４２を介して前記第２傾斜折曲部１２０に接続されている。
【００７１】
前記底面折曲部８０は、前記底面部７２の前記前後方向（襠部材７０を展開した状態における幅方向）における中央で外側に突出した、稜線を有する底面谷折部８４、及び前記底面谷折部８４の両側で内側に突出する底面山折部８２を含む。
前記第１側面折曲部９０は、前記第１側面の前後方向（襠部材７０を展開した状態における幅方向）における中央で内側に突出する第１側面山折部９２、及び前記第１側面山折部９２の両側で外側に突出した、稜線を有する第１側面谷折部９４を含む。
前記第２側面折曲部１００は、前記第２側面の前後方向（襠部材７０を展開した状態における幅方向）における中央で内側に突出する第２側面山折部１０２、及び前記第２側面山折部１０２の両側で外側に突出した、稜線を有する第２側面谷折部１０４を含む。
【００７２】
各袋状部３４を構成する底面部７２は、底面山折部８２と底面山折部８２との間及び第１傾斜折曲部１１０及び第３傾斜折曲部１１２との間において形成されている。
各袋状部３４を構成する底面部７２は、底面谷折部８４において手前側の底面構成材７２ａと向こう側の底面構成材７２ｂとに分割されている。
【００７３】
各袋状部３４を構成する第１側面部７４は、第１側面谷折部９４と第１側面谷折部９４との間及び第１傾斜折曲部１１０及び第３傾斜折曲部１１２もしくは第１拡張線部１５０との間において形成されている。
各袋状部３４を構成する第１側面部７４は、第１側面山折部９２において手前側の第１側面構成材７４ａと向こう側の第１側面構成材７４ｂとに分割されている。
各袋状部３４を構成する第２側面部７６は、第１側面谷折部９４と第１側面谷折部９４との間及び第２傾斜折曲部１２０及び第４傾斜折曲部１２２もしくは第２拡張線部１５２との間において形成されている。
各袋状部３４を構成する第２側面部７６は、第２側面山折部１０２において手前側の第２側面構成材７６ａと向こう側の第２側面構成材７６ｂとに分割されている。
【００７４】
各袋状部３４を構成する第１隅部６０は、向こう側の第１曲線折曲部１３０と手前側の第１曲線折曲部１３２とを結ぶ線もしくは第１拡張線部１５０と第１傾斜折曲部１１０及び第３傾斜折曲部１１２との間において形成されている。
各袋状部３４を構成する第１隅部６０は、第１側面山折部９２において手前側の隅部構成材６０ａと向こう側の隅部構成材６０ｂとに分割されている。
各袋状部３４を構成する第２隅部６２は、向こう側の第２曲線折曲部１４０と手前側の第２曲線折曲部１４２とを結ぶ線もしくは第１拡張線部１５０と第２傾斜折曲部１２０及び第４傾斜折曲部１２２との間において形成されている。
各袋状部３４を構成する第２隅部６２は、第２側面山折部１０２において手前側の隅部構成材６２ａと向こう側の隅部構成材６２ｂとに分割されている。
【００７５】
襠部材７０は、底面折曲部８０の底面谷折部８４を谷折りし、且つ、底面山折部８２を山折りして底面部７２を形成する。
襠部材７０は、第１側面部７４を向こう側の第１曲線折曲部１３０と手前側の第１曲線折曲部１３２とにおいて折り曲げて底面部７２より立ち上げ、第１傾斜折曲部１１０及び第３傾斜折曲部１１２を底面部７２と斜交させ且つ第１傾斜折曲部１１０及び第３傾斜折曲部１１２を第１側面部７４と斜交させて、第１側面山折部９２及び第１側面谷折部９４を垂直に立ち上げる（図３参照）。
襠部材７０は、第２側面部７６を向こう側の第２曲線折曲部１４０と手前側の第２曲線折曲部１４２とにおいて折り曲げて底面部７２より立ち上げ、第２傾斜折曲部１２０及び第４傾斜折曲部１２２を底面部７２と斜交させ且つ第２傾斜折曲部１２０及び第４傾斜折曲部１２２を第２側面部７６と斜交させて、第２側面山折部１０２及び第２側面谷折部１０４を垂直に立ち上げる（図３参照）。
襠部材７０は、第１傾斜折曲部１１０及び第３傾斜折曲部１１２を谷折りして、第１隅部６０を形成するとともに、第２傾斜折曲部１２０及び第４傾斜折曲部１２２を谷折りして、第２隅部６２を形成する。
【００７６】
襠部材７０は、第１側面山折部９２を内側に向けて山折りし、且つ、第１側面谷折部９４を外側に向けて谷折りして第１側面部７４を形成する。
襠部材７０は、第２側面山折部１０２を内側に向けて山折りし、且つ、第２側面谷折部１０４を外側に向けて谷折りして第２側面部７６を形成する。
手前側の底面構成材７２ａの内面と向こう側の底面構成材７２ｂの内面とは、底面谷折部８４を挟んで向き合う。
手前側の第１側面構成材７４ａの外面及び手前側の隅部構成材６０ａの外面と向こう側の第１側面構成材７４ｂの外面及び向こう側の隅部構成材６０ｂの外面とは、第１側面山折部９２を挟んで向き合う。
通常、手前側の第１側面構成材７４ａと手前側の隅部構成材６０ａとは、面一（平面状）に連続し、且つ向こう側の第１側面構成材７４ｂと向こう側の隅部構成材６０ｂとは面一（平面状）に連続する。
手前側の底面構成材７２ａと手前側の第１側面構成材７４ａ及び手前側の隅部構成材６０ａとは、第３傾斜折曲部１１２を介して、略々垂直に立ち上がる。
向こう側の底面構成材７２ｂと向こう側の第１側面構成材７４ｂ及び向こう側の隅部構成材６０ｂとは、第１傾斜折曲部１１０を介して、略々垂直に立ち上がる。
手前側の第２側面構成材７６ａの外面及び手前側の隅部構成材６２ａの外面と向こう側の第２側面構成材７６ｂの外面及び向こう側の隅部構成材６２ｂの外面とは、第２側面山折部１０２を挟んで向き合う。
通常、手前側の第２側面構成材７６ａと手前側の隅部構成材６２ａとは、面一（平面状）に連続し、且つ向こう側の第２側面構成材７６ｂと向こう側の隅部構成材６２ｂとは面一（平面状）に連続する。
手前側の底面構成材７２ａと手前側の第２側面構成材７６ａ及び手前側の隅部構成材６２ａとは、第４傾斜折曲部１２２を介して、略々垂直に立ち上がる。
向こう側の底面構成材７２ｂと向こう側の第２側面構成材７６ｂ及び向こう側の隅部構成材６２ｂとは、第２傾斜折曲部１２０を介して、略々垂直に立ち上がる。
第１側面谷折部９４と１傾斜折曲部１１０及び第３傾斜折曲部１１２とのなす角度は、正面視において鈍角である（図３参照）。
底面谷折部８４と第１傾斜折曲部１１０及び第３傾斜折曲部１１２とのなす角度は、正面視において鈍角である（図３参照）。
第２側面谷折部１０４と第２傾斜折曲部１２０及び第４傾斜折曲部１２２とのなす角度は、正面視において鈍角である（図３参照）。
底面谷折部８４と第２傾斜折曲部１２０及び第４傾斜折曲部１２２とのなす角度は、正面視において鈍角である（図３参照）。
而して、襠部材７０により、手前側から、第１袋状部３４ａ、第２袋状部３４ｂ、第１袋状部３４ａ、第２袋状部３４ｂの順に並列された袋状部３４を備えた、収納部３０が形成される。
【００７７】
手前側の第１側面構成材７４ａ及び向こう側の第１側面構成材７４ｂと手前側の隅部構成材６０ａ及び向こう側の隅部構成材６０ｂと手前側の底面構成材７２ａ及び向こう側の底面構成材７２ｂとに囲繞された各袋状部３４が形成される。
手前側の第２側面構成材７６ａ及び向こう側の第２側面構成材７６ｂと手前側の隅部構成材６２ａ及び向こう側の隅部構成材６２ｂと手前側の底面構成材７２ａ及び向こう側の底面構成材７２ｂとに囲繞された各袋状部３４が形成される。
【００７８】
底面谷折部８４と第１傾斜折曲部１１０及び第３傾斜折曲部１１２とは、それぞれ谷底が手前側の第１曲線折曲部１３２を介して連続し、且つ、第１側面谷折部９４と１傾斜折曲部１１０及び第３傾斜折曲部１１２とは、それぞれ谷底が向こう側の第１曲線折曲部１３０を介して連続する（図３参照）。
また、底面谷折部８４と第２傾斜折曲部１２０及び第４傾斜折曲部１２２とは、それぞれ谷底が手前側の第２曲線折曲部１４２を介して連続し、且つ、第２側面谷折部１０４と第２傾斜折曲部１２０及び第４傾斜折曲部１２２とは、それぞれ谷底が向こう側の第２曲線折曲部１４０を介して連続する（図３参照）。
ここにおいて、谷折りとは、平面視（開口部３２から見たとき）谷折りであり、底面視（下から見たとき）は山折りとなる。すなわち、底面谷折部８４と第１側面谷折部９４及び第２側面谷折部１０４と第１傾斜折曲部１１０及び第３傾斜折曲部１１２と第２傾斜折曲部１２０及び第４傾斜折曲部１２２とは、谷折りされたとき、平面視（開口部３２から見たとき）谷底が、底面視（下から見たとき）の稜線を構成する。
【００７９】
第１側面山折部９２及び第１側面谷折部９４と第２側面山折部１０２及び第２側面谷折部１０４とは対称であり、第１傾斜折曲部１１０及び第３傾斜折曲部１１２と第２傾斜折曲部１２０及び第４傾斜折曲部１２２とは対称である。
手前側の第１側面構成材７４ａ及び向こう側の第１側面構成材７４ｂと手前側の第２側面構成材７６ａと向こう側の第２側面構成材７６ｂとは対称である。
手前側の隅部構成材６０ａ及び向こう側の隅部構成材６０ｂと手前側の隅部構成材６２ａ及び向こう側の隅部構成材６２ｂとは対称である。
【００８０】
前記収納部３０の前記一端部（底面部７２）の直線状の稜線（底面谷折部８４）と前記収納部３０の前記他端部（第１側面部７４及び第２側面部７６）の直線状の稜線（第１側面谷折部９４及び第２側面谷折部１０４）とが、曲線状の稜線（向こう側の第１曲線折曲部１３０，手前側の第１曲線折曲部１３２，向こう側の第２曲線折曲部１４０，手前側の第２曲線折曲部１４２）を介して斜めに接続されているので、前記一端部（底面部７２）の直線状の稜線（底面谷折部８４）及び前記他端部（第１側面部７４及び第２側面部７６）の直線状の稜線（向こう側の第１曲線折曲部１３０，手前側の第１曲線折曲部１３２，向こう側の第２曲線折曲部１４０，手前側の第２曲線折曲部１４２）を挟むシート状部（手前側の底面構成材７２ａ，向こう側の底面構成材７２ｂ，手前側の第１側面構成材７４ａ，向こう側の第１側面構成材７４ｂ，手前側の第２側面構成材７６ａ，向こう側の第２側面構成材７６ｂ，手前側の隅部構成材６０ａ，向こう側の隅部構成材６０ｂ，手前側の隅部構成材６２ａ，向こう側の隅部構成材６２ｂ）とを折曲して稜線を形成しても隅部（向こう側の第１曲線折曲部１３０，手前側の第１曲線折曲部１３２，向こう側の第２曲線折曲部１４０，手前側の第２曲線折曲部１４２の付近）の角がとがって突出することなく、丸みを備える隅部となる。しかも、稜線（底面谷折部８４）と稜線（第１側面谷折部９４及び第２側面谷折部１０４）とが直交して交わることなく、前記一端部（底面部７２）と前記他端部（第１側面部７４及び第２側面部７６）とが、傾斜折曲部（第１傾斜折曲部１１０，第３傾斜折曲部１１２，第２傾斜折曲部１２０，第４傾斜折曲部１２２）を介して斜めに接続された、いわゆる面取りした構造となる。
【００８１】
この発明は、前記実施の形態の収納具１０に限定されることなく、この発明の思想に基づき、種々変更することができる。
例えば、図２３に示すように、襠部材７０によって形成される底面部７２，第１側面部７４及び第２側面部７６は、蛇腹状ではなく、平面状の襠部を構成するように、平面状の底面部７２の左端に、角張った第１隅部６０を介して平面状の第１側面部７４が立設され、平面状の底面部７２の右端に、角張った第２隅部６２を介して平面状の第２側面部７６を立設されてもよい。
【００８２】
襠部材７０は、胴部２０と連結するための接続代７８を、その長手両端縁に形成される（図２３及び図２４参照）。接続代７８は、底面部７２及び第１側面部７４並びに第２側面部７６の一方向にのびる。
接続代７８は、胴部２０の底部２２４及び底部２４４に連設された底面部７２の一方の（手前側の）底部連結端部８６及び他方の（向こう側の）底部連結端部８８と、第１側面部７４の手前側に連設された右側の手前側の第１側部連結端部９６及び左側の向こう側の第１側部連結端部９８と、第１側面部７４の向こう側に連設された右側の手前側の第２側部連結端部１０６及び左側の向こう側の第２側部連結端部１０８とによって、構成される。
底面部７２に連設された底部連結端部８６及び底部連結端部８８は、底面部７２と同じ長さを備え、山折りもしくは谷折りして、外側面が胴部２０の底部２２４及び底部２４４の内側面と接着される。
第１側面部７４の手前側の第１側部連結端部９６及び向こう側の第１側部連結端部９８並びに第２側面部７６の手前側の第２側部連結端部１０６及び向こう側の第２側部連結端部１０８は、第１側面部７４及び第２側面部７６と同じ長さを備え、外側面が胴部２０の第１側部２２６及び第２側部２２８並びに第１側部２４６及び第２側部２４８の内側面と接着される。
【００８３】
襠部材７０の第３底面山折部８２Ａ，第３底面谷折部８４Ａ及び底部連結端部８６の端縁は、直線状であり、それぞれ平行に形成されており、底部連結端部８６は、第１胴部材２２０の折曲部２２４ａに平行に折り返し領域２３２に固定される。
襠部材７０の第４底面山折部８２Ｂ，第４底面谷折部８４Ｂ及び底部連結端部８８の端縁は、直線状であり、それぞれ平行に形成されており、底部連結端部８８は、第２胴部材２４０の折曲部２４４ａに平行に折り返し領域２５２に固定される。
【００８４】
襠部材７０の手前側の第１側部連結端部９６は、第１胴部材２２０の第１側部２２６の端縁に平行に第１側部２２６に固定され、襠部材７０の手前側の第２側部連結端部１０６は、第１胴部材２２０の第２側部２２８の端縁に平行に第２側部２２８に固定される。
襠部材７０の向こう側の第１側部連結端部９８は、第２胴部材２４０の第１側部２４６の端縁に平行に第１側部２４６に固定され、襠部材７０の向こう側の第２側部連結端部１０８は、第２胴部材２４０の第２側部２４８の端縁に平行に第２側部２４８に固定される。
【００８５】
第１胴部材２２０の折り返し領域２３２の下端縁と折曲部２２４ａとは、平行な直線状であり、襠部材７０の第３底面山折部８２Ａ及び第３底面谷折部８４Ａとは、平行な直線状である。
そして、第１胴部材２２０の底部２２４の内側面と折り返し領域２３２の内側面との間に襠部材７０の底部連結端部８６を挟み込んだときに、第１胴部材２２０の折曲部２２４ａと襠部材７０の第３底面山折部８２Ａ及び第３底面谷折部８４Ａとは平行にして、襠部材７０の底部連結端部８６は、第１胴部材２２０の底部２２４の内側面と折り返し領域２３２の内側に固定される。
第２胴部材２４０の折り返し領域２５２の下端縁と折曲部２４４ａとは、平行な直線状であり、襠部材７０の第４底面山折部８２Ｂ及び第４底面谷折部８４Ｂとは、平行な直線状である。
そして、第２胴部材２４０の底部２４４の内側面と折り返し領域２５２の内側面との間に襠部材７０の底部連結端部８８を挟み込んだときに、第２胴部材２４０の折曲部２４４ａと襠部材７０の第４底面山折部８２Ｂ及び第４底面谷折部８４Ｂとは平行にして、襠部材７０の底部連結端部８８は、第２胴部材２４０の底部２４４の内側面と折り返し領域２５２の内側に固定される。
【００８６】
底部連結端部８６は、その左右の端部が手前側の第１側部連結端部９６及び手前側の第２側部連結端部１０６の下端部の重ね合わせ領域と重ね合わされる、重ね合わせ領域を構成している。
底部連結端部８８は、その左右の端部が向こう側の第１側部連結端部９８及び向こう側の第２側部連結端部１０８の下端部の重ね合わせ領域と重ね合わされる、重ね合わせ領域を構成している。
【００８７】
前記表胴部２２を有する第１胴部材２２０は、前記収納部３０の前記固定される一方の底部連結端部８６の端縁に対応する部位において折り返し、該一方の底部連結端部８６を表胴部２２の主面の底部２２４の領域と折り返し領域２３２とにより挟み、収納部３０の一方の底部連結端部８６に固定される。
前記裏胴部２４を有する第２胴部材２４０は、前記収納部３０の前記固定される他方の底部連結端部８８の端縁に対応する部位において折り返し、該他方の底部連結端部８８を裏胴部２４の主面の底部２４４の領域と折り返し領域２５２とにより挟み、収納部３０の他方の底部連結端部８８に固定される。
【００８８】
前記収納部３０の底面部７２の底部連結端部８６と前記表胴部２２の底部２２４の折り返し領域２３２とが重なり合い、且つ前記収納部３０の第１側面部７４及び第２側面部７６と前記表胴部２２の第１側部２２６及び第２側部２２８の領域とが重なり合うとともに、収納部３０並びに表胴部２２の第１隅部６０及び第２隅部６２において、前記収納部３０の底部連結端部８６並びに表胴部２２の底部２２４の折り返し領域２３２と前記収納部３０の手前側の第１側部連結端部９６及び手前側の第２側部連結端部１０６並びに表胴部２２の第１側部２２６及び第２側部２２８の領域とが重なり合って固定される。
底部連結端部８６は、その右の端部の第１重ね合わせ部８６ａが手前側の第１側部連結端部９６の下端部の重ね合わせ領域（第５重ね合わせ部９６ａ）と重ね合わされ、且つその左側の端部の第２重ね合わせ部８６ｂが手前側の第２側部連結端部１０６の下端部の重ね合わせ領域（第６重ね合わせ部１０６ａ）と重ね合わされる。
【００８９】
前記収納部３０の底面部７２の底部連結端部８８と前記裏胴部２４の底部２４４の折り返し領域２５２とが重なり合い、且つ前記収納部３０の第１側面部７４及び第２側面部７６と前記裏胴部２４の第１側部２４６及び第２側部２４８の領域とが重なり合うとともに、収納部３０並びに裏胴部２４の第１隅部６０及び第２隅部６２において、前記収納部３０の底部連結端部８８並びに裏胴部２４の底部２４４の折り返し領域２５２と前記収納部３０の向こう側の第１側部連結端部９８及び向こう側の第２側部連結端部１０８並びに裏胴部２４の第１側部２４６及び第２側部２４８の領域とが重なり合って固定される。
底部連結端部８８は、その右の端部の第３重ね合わせ部８８ａが向こう側の第１側部連結端部９８の下端部の重ね合わせ領域（第７重ね合わせ部９８ａ）と重ね合わされ、且つその左側の端部の第４重ね合わせ部８８ｂが向こう側の第２側部連結端部１０８の下端部の重ね合わせ領域（第８重ね合わせ部１０８ａ）と重ね合わされる。
【００９０】
前記表胴部２２の折り返し領域２３２は、折曲部２２４ａとは反対側の端縁には、前記収納部３０の手前側の第１側部連結端部９６及び手前側の第２側部連結端部１０６並びに手前側の第１側部連結端部９６及び手前側の第２側部連結端部１０６に連設された手前側の第２側面構成材７６ａと重ならないように第１逃げ用凹部２３４ａ及び第２逃げ用凹部２３４ｂを形成されている。第１逃げ用凹部２３４ａ及び第２逃げ用凹部２３４ｂは、手前側の第２側面構成材７６ａに対向させて、表胴部２２の折り返し領域２３２を収納部３０の手前側の第１側部連結端部９６及び手前側の第２側部連結端部１０６の一部に重ね合わせて固定される。
前記裏胴部２４の折り返し領域２５２は、折曲部２４４ａとは反対側の端縁には、前記収納部３０の向こう側の第１側部連結端部９８及び向こう側の第２側部連結端部１０８並びに向こう側の第１側部連結端部９８及び向こう側の第２側部連結端部１０８に連設された向こう側の第２側面構成材７６ｂと重ならないように第１逃げ用凹部２５４ａ及び第２逃げ用凹部２５４ｂを形成されている。第１逃げ用凹部２５４ａ及び第２逃げ用凹部２５４ｂは、向こう側の第２側面構成材７６ｂに対向させて、裏胴部２４の折り返し領域２５２を収納部３０の向こう側の第１側部連結端部９８及び向こう側の第２側部連結端部１０８の一部に重ね合わせて固定される。
【００９１】
なお、第１傾斜折曲部１１０は、図２５に示すように、少なくとも一部分が途切れていてもよい。同様に、第２傾斜折曲部１２０などの他の傾斜折曲部も、少なくとも一部分が途切れていてもよい。
また、底面折曲部８０の底面谷折部８４や第１側面折曲部９０の第１側面谷折部９４も、図２６に示すように、それぞれ、少なくとも一部分が途切れていてもよい。同様に、他の谷折部や山折部となる折曲部の少なくとも一部分が途切れていてもよい。
さらに、傾斜折曲部と谷折部や山折部となる折曲部とは、それぞれ、少なくとも一部分が途切れていてもよい。
【産業上の利用可能性】
【００９２】
この発明にかかる収納具１０は、エンベロープ、ホルダー、ドキュメントファイル、エキスパンディングファイル、手提げケース等の、各種収納具に利用される。
【符号の説明】
【００９３】
１０  収納具
２０  胴部
２２  表胴部
２４  裏胴部
２６  カバー部
２８ａ  開口覆部
２８ｂ  前垂部
３０  収納部
３２  開口部
３４  袋状部
３４ａ  第１袋状部
３４ｂ  第２袋状部
４２  第１主面部
４４  第２主面部
５２  底縁部
５４  右側側縁部
５６  左側側縁部
５８  開口縁部
６０  第１隅部
６０ａ，６２ａ，６０ａ1，６２ａ1  手前側の隅部構成材
６０ｂ，６２ｂ，６０ｂ1，６２ｂ1  向こう側の隅部構成材
６２  第２隅部
７０  襠部材
７２  底面部
７２ａ，７２ａ2  手前側の底面構成材
７２ａ1  手前側の介在底面構成材
７２ｂ，７２ｂ2  向こう側の底面構成材
７２ｂ1  向こう側の介在底面構成材
７４  第１側面部
７４ａ，７４ａ1  手前側の第１側面構成材
７４ｂ，７４ｂ1  向こう側の第１側面構成材
７６  第２側面部
７６ａ，７６ａ1  手前側の第２側面構成材
７６ｂ，７６ｂ1  向こう側の第２側面構成材
７８  接続代
８０  底面折曲部
８２  底面山折部
８２Ａ  第３底面山折部
８２Ｂ  第４底面山折部
８４  底面谷折部
８４Ａ  第３底面谷折部
８４Ｂ  第４底面谷折部
８６，８８  底部連結端部
８６ａ  第１重ね合わせ部
８６ｂ  第２重ね合わせ部
８８ａ  第３重ね合わせ部
８８ｂ  第４重ね合わせ部
９０  第１側面折曲部
９２  第１側面山折部
９２Ａ  第３側面山折部
９２Ｂ  第３側面谷折部
９４  第１側面谷折部
９６  手前側の第１側部連結端部
９６ａ  第５重ね合わせ部
９６ｂ  第１切り込み
９８  向こう側の第１側部連結端部
９８ａ  第７重ね合わせ部
９８ｂ  第２切り込み
１００  第２側面折曲部
１０２  第２側面山折部
１０２Ａ  第４側面山折部
１０２Ｂ  第４側面谷折部
１０４  第２側面谷折部
１０６  手前側の第２側部連結端部
１０６ａ  第６重ね合わせ部
１０６ｂ  第３切り込み
１０８  向こう側の第２側部連結端部
１０８ａ  第８重ね合わせ部
１０８ｂ  第４切り込み
１１０  第１傾斜折曲部
１１２  第３傾斜折曲部
１２０  第２傾斜折曲部
１２２  第４傾斜折曲部
１３０  向こう側の第１曲線折曲部
１３２  手前側の第１曲線折曲部
１４０  向こう側の第２曲線折曲部
１４２  手前側の第２曲線折曲部
１５０  第１拡張線部
１５２  第２拡張線部
１７０  仕切部材
１７２，１７４，１７６  接続部
２２０  第１胴部材
２２２  表胴本体
２２４，２４４  底部
２２４ａ，２４４ａ  折曲部
２２６，２４６  第１側部
２２８，２４８  第２側部
２３０，２５０  開口部領域
２３２，２５２  折り返し領域
２３４ａ，２５４ａ  第１逃げ用凹部
２３４ｂ，２５４ｂ  第２逃げ用凹部
２４０  第２胴部材
２４２  裏胴本体
Ｘ  被収納物
【図１】
2014019002.tif 000003
【図２】
2014019002.tif 000004
【図３Ａ】
2014019002.tif 000005
【図３Ｂ】
2014019002.tif 000006
【図３Ｃ】
2014019002.tif 000007
【図３Ｄ】
2014019002.tif 000008
【図３Ｅ】
2014019002.tif 000009
【図３Ｆ】
2014019002.tif 000010
【図３Ｇ】
2014019002.tif 000011
【図３Ｈ】
2014019002.tif 000012
【図４Ａ】
2014019002.tif 000013
【図４Ｂ】
2014019002.tif 000014
【図４Ｃ】
2014019002.tif 000015
【図４Ｄ】
2014019002.tif 000016
【図５Ａ】
2014019002.tif 000017
【図５Ｂ】
2014019002.tif 000018
【図５Ｃ】
2014019002.tif 000019
【図６】
2014019002.tif 000020
【図７】
2014019002.tif 000021
【図８】
2014019002.tif 000022
【図９】
2014019002.tif 000023
【図１０】
2014019002.tif 000024
【図１１】
2014019002.tif 000025
【図１２】
2014019002.tif 000026
【図１３】
2014019002.tif 000027
【図１４】
2014019002.tif 000028
【図１５】
2014019002.tif 000029
【図１６】
2014019002.tif 000030
【図１７】
2014019002.tif 000031
【図１８】
2014019002.tif 000032
【図１９】
2014019002.tif 000033
【図２０】
2014019002.tif 000034
【図２１】
2014019002.tif 000035
【図２２】
2014019002.tif 000036
【図２３】
2014019002.tif 000037
【図２４Ａ】
2014019002.tif 000038
【図２４Ｂ】
2014019002.tif 000039
【図２５】
2014019002.tif 000040
【図２６】
2014019002.tif 000041
【図２７】
2014019002.tif 000042
【図２８】
2014019002.tif 000043
【図２９】
2014019002.tif 000044